(57)【要約】【課題】筐体への取付面積の拡張を伴わずに多孔質膜の実質面積を拡げた防塵フィルタを提供する。【解決手段】外側空間と内側空間とを隔てる壁の孔部に配置される防塵フィルタであり、内側空間内に在って内側空間とは多孔質膜３０１、３０２，４０１，４０２を介して連通し、外側空間とは直接連通する連通空間と、壁の孔部に臨む開口２１３と連通空間との間に介在して連通空間を外側空間に直接連通させる管状部材６１，６２と、孔部の開口２１３を除く部分を塞ぐ多孔質膜２２と、を有し、連通空間の多孔質膜３０１、３０２，４０１，４０２と、外側空間に面する多孔質膜２２とが空隙を空けて多層に配置されている。外側空間及び内側空間の気体が、多層に配置された複数の多孔質膜２２、３０１、３０２，４０１，４０２を介して流入・流出するため、内外気圧差調整機能が向上する。【選択図】図２
2017127849.tif 000002
【特許請求の範囲】
【請求項１】
外側空間と内側空間とを隔てる壁の孔部に配置され、前記外側空間と前記内側空間との間の気体の流入・流出を許容し、前記外側空間から前記内側空間への塵埃の流入を阻止する多孔質膜が設けられた防塵フィルタであって、
前記内側空間又は外側空間の一方の空間の内部に在って、前記一方の空間とは前記多孔質膜を介して連通し、前記内側空間又は外側空間の他方の空間とは直接連通する連通空間と、
前記孔部に臨む開口と前記連通空間との間に介在して前記連通空間を前記他方の空間に直接連通させる管状部材と、
前記孔部の前記開口を除く部分を塞ぐ前記他方の空間に面した前記多孔質膜と、
を有し、
前記連通空間の多孔質膜と、前記他方の空間に面した多孔質膜とが空隙を空けて多層に配置されている、
ことを特徴とする防塵フィルタ。
【請求項２】
請求項１に記載の防塵フィルタであって、前記連通空間が、並行する二枚の前記多孔質膜と、前記二枚の多孔質膜の間隔を保って前記連通空間を形成するフレームと、で構成されていることを特徴とする防塵フィルタ。
【請求項３】
請求項１又は２に記載の防塵フィルタであって、前記一方の空間の内部に複数の前記連通空間が相互間に空隙を空けて多層に配置されていることを特徴とする防塵フィルタ。
【請求項４】
請求項３に記載の防塵フィルタであって、前記管状部材が、多層に配置された前記連通空間の相互間の空隙、及び、前記連通空間と前記他方の空間に面した多孔質膜との間の空隙を保つスペーサを兼ねており、該スペーサが連通用の貫通孔を有していることを特徴とする防塵フィルタ。
【請求項５】
請求項４に記載の防塵フィルタであって、前記多孔質膜は、該多孔質膜を固定する枠部と、前記スペーサを固定するスペーサ固定部とを有する第１フレームの一方の面、又は、前記多孔質膜を固定する枠部のみを有する第２フレームの一方の面に固定され、前記スペーサは、前記第１フレームのスペーサ固定部に形成された孔と該スペーサの貫通孔とが一致するように前記スペーサ固定部の前記一方の面に固定され、
多層に配置された前記連通空間の最外層の連通空間は、前記多孔質膜が固定された前記第１フレームと、前記多孔質膜が固定された前記第２フレームとを、二枚の前記多孔質膜が該連通空間の外側に位置するように重ね合わせて構成され、
多層に配置された前記連通空間の中間に位置する１又は複数の連通空間は、前記多孔質膜が固定された第１の前記第１フレームと、前記多孔質膜が固定されていない前記第２フレームと、前記多孔質膜が固定された第２の前記第１フレームとを、二枚の前記多孔質膜が該連通空間の外側に位置するように重ね合わせて構成され、
前記他方の空間に面した多孔質膜は、前記第１フレームの一方の面に固定され、該第１フレームの他方の面が前記孔部の周縁に固定される、
ことを特徴とする防塵フィルタ。
【請求項６】
請求項５に記載の防塵フィルタであって、前記第１フレームの外側面は、該第１フレームの一方の面側に突出する広幅の第１係合片と、該第１フレームの他方の面側に突出する狭幅の第２係合片とが立ち起された係止部と、前記第１係合片の嵌合可能な間隙を備える第１嵌合部とを有し、
前記第２フレームの外側面は、前記第２係合片の嵌合可能な間隙を備える第２嵌合部を１又は２個有し、
前記第１フレームの前記第２係合片と前記第２フレームの前記第２嵌合部とが嵌合するように１又は２個の前記第１フレームと前記第２フレームとを重ね合わせて前記連通空間が構成され、
前記第１フレームの前記第１係合片と、他の第１フレームの前記第１嵌合部とを嵌合させて前記連通空間同士、又は、前記連通空間と前記他方の空間に面した多孔質膜が固定された前記第１フレームとが組み合わされることを特徴とする防塵フィルタ。
【請求項７】
請求項１から６のいずれかの防塵フィルタを筐体の孔部に備える防水防塵秤。
【発明の詳細な説明】
【技術分野】
【０００１】
本発明は、外側空間と内側空間とを隔てる筐体壁の孔等に設置される防塵フィルタと、それを備える防水防塵秤に関し、孔の面積は変えずに実質的に防塵フィルタの面積を拡げて、壁の外側空間と内側空間との気圧差の解消を図る防塵フィルタの内外気圧差調整機能を高めたものである。
【背景技術】
【０００２】
下記特許文献１には、図１４に示すように、下部筐体１２４の底部の一部を内側に窪ませて形成した傾斜面１２５に貫通孔５１を設け、この孔を不織布フィルタ５５で塞ぐと共に、貫通孔５１に連なる部屋５２を多孔質膜５４で塞いだ防水防塵秤が記載されている。
防水防塵秤では、上部筐体１２１と下部筐体１２４とが気密に結合され、また、図１５（秤量皿及びパンベースを外して真上から秤を見た図）に示すように、秤量皿に加わる荷重が伝達されて筐体内で上下に変位する荷重受け部５６にダイヤフラム５７が接続され、この荷重伝達機構を通すために開けられている上部筐体の開口がダイヤフラム５７で気密に塞がれている。
【０００３】
多孔質膜５４には、例えば、１平方ｃｍ当たり数億個の微細孔を有する四フッ化エチレン樹脂から成る膜等が使用される。微細孔の孔径は数μｍ以下である。この膜は、防水性、防塵性、通気性を兼ね備えており、塵埃の筐体内への侵入を阻止するとともに、秤量皿に荷重を載せたとき、ダイヤフラムの変形に伴って圧縮される測定空間の空気を筐体外へ逃がし、また、秤量皿から荷重が除かれたとき、ダイヤフラムの復帰に伴って負圧となる測定空間内に外気を供給して、筐体の内側と外側との内外気圧差を解消する。
【０００４】
一方、不織布フィルタ５５は、合成樹脂繊維、炭素繊維、ガラス繊維、金属繊維、あるいは、セラミック繊維等をバインダーで結合して布状に成形したものであり、多孔質膜５４に比べて、数倍から数十倍以上の空隙を有している。この不織布フィルタ５５は、この秤をオイルミストや粉体等が発生する現場で使用する場合に、それらによって多孔質膜５４の孔が目詰まりするのを防いでいる。オイルミストや粉体等が付着して汚れた不織布フィルタ５５は、新品と交換される。
【先行技術文献】
【特許文献】
【０００５】
【特許文献１】特許第５０６５１７８号公報
【発明の概要】
【発明が解決しようとする課題】
【０００６】
防水性・防塵性と共に通気性を兼ね備える多孔質膜を用いた防塵フィルタは、秤だけでなく、ケース内の内圧変動を嫌う自動車部品、携帯電話、ＯＡ機器、家電製品等でも広く使われている。
しかし、多孔質膜の内外気圧差の調整能力が低いと、内圧変動の解消に多くの時間が掛かり、秤では、精確な計量を迅速に実施することができなくなる。秤本体の計量ブロックを荷重の表示桁数が一桁多くなるように改良しても、防塵フィルタの内外気圧調整機能が追いつかないと、表示値が安定するまでに時間が掛かる。また、ドアの開閉等で測定室の気圧が変化した場合に表示値がチラつく状態が発生する。
【０００７】
多孔質膜の通気性能は気体が通過する微細孔の径に依存するため、微細孔の径を大きくすれば多孔質膜の内外気圧調整機能は向上するが、そうした場合、防塵性能の低下が避けられない。
また、多孔質膜の面積を拡げれば内外気圧調整機能は向上するが、多孔質膜の筐体取付面積の拡張を伴う場合は、筐体構造の大型化が必要であり、既存の製品への取付ができないと言う不都合が生じる。
【０００８】
本発明は、こうした事情を考慮して創案したものであり、筐体等への取付面積の拡張を伴わずに多孔質膜の面積を実質的に拡げることができる防塵フィルタを提供し、また、それを用いた防水防塵秤を提供することを目的としている。
【課題を解決するための手段】
【０００９】
本発明は、外側空間と内側空間とを隔てる壁の孔部に配置され、外側空間と内側空間との間の気体の流入・流出を許容し、外側空間から内側空間への塵埃の流入を阻止する多孔質膜が設けられた防塵フィルタであって、内側空間又は外側空間の一方の空間（例えば、内側空間）の内部に在って、一方の空間（例えば、内側空間）とは多孔質膜を介して連通し、内側空間又は外側空間の他方の空間（例えば、外側空間）とは直接連通する連通空間と、壁の孔部に臨む開口と連通空間との間に介在して連通空間を他方の空間（例えば、外側空間）に直接連通させる管状部材と、孔部の前記開口を除く部分を塞ぐ他方の空間（例えば、外側空間）に面した多孔質膜と、を有し、連通空間の多孔質膜と、他方の空間（例えば、外側空間）に面した多孔質膜とが空隙を空けて多層に配置されている、ことを特徴とする。
この防塵フィルタでは、外側空間及び内側空間の気体が、多層に配置された複数の多孔質膜を介して流入・流出するため、内外気圧差調整機能が向上する。
【００１０】
また、本発明の防塵フィルタでは、連通空間は、並行する二枚の多孔質膜と、この二枚の多孔質膜の間隔を保って連通空間を形成するフレームとで構成される。
そのため、例えば内側空間内に１つの連通空間が存在すると、内外気圧差の調整に寄与する多孔質膜が二枚増えることになる。
【００１１】
また、本発明の防塵フィルタでは、一方の空間（例えば内側空間）の内部に複数の連通空間を相互間に空隙を空けて多層に配置しても良い。
例えば内側空間内に複数の連通空間を配置した場合、外側空間に面した多孔質膜＋（連通空間の数×２枚）の多孔質膜が内外気圧差の調整に寄与することになる。
【００１２】
また、本発明の防塵フィルタでは、管状部材は、多層に配置された連通空間の相互間の空隙、及び、連通空間と他方の空間（例えば外側空間）に面した多孔質膜との空隙を保つスペーサを兼ねており、このスペーサが連通用の貫通孔を有している。
外側空間に面した多孔質膜と連通空間との間、及び、連通空間とその上の連通空間との間にスペーサが配置され、連通空間はスペーサの貫通孔を介して外部空間と連通する。
【００１３】
また、本発明の防塵フィルタでは、多孔質膜は、この多孔質膜を固定する枠部と、スペーサを固定するスペーサ固定部とを有する第１フレームの一方の面、又は、多孔質膜を固定する枠部のみを有する第２フレームの一方の面に固定され、スペーサは、第１フレームのスペーサ固定部に形成された孔とスペーサの貫通孔とが一致するようにスペーサ固定部の一方の面に固定される。
そして、多層に配置された連通空間の最外層の連通空間は、多孔質膜が固定された第１フレームと、多孔質膜が固定された第２フレームとを、二枚の多孔質膜がこの連通空間の外側に位置するように重ね合わせて構成され、多層に配置された連通空間の中間に位置する１又は複数の連通空間は、多孔質膜が固定された第１の第１フレームと、多孔質膜が固定されていない第２フレームと、多孔質膜が固定された第２の第１フレームとを、二枚の多孔質膜がこの連通空間の外側に位置するように重ね合わせて構成され、他方の空間（例えば外側空間）に面した多孔質膜は、第１フレームの一方の面に固定され、この第１フレームの他方の面が孔部の周縁に固定される。
そのため、外側空間に面した多孔質膜が固定された第１フレームのスペーサ固定部の孔が外側空間への開口となり、その開口に連通する第１のスペーサの貫通孔を通じて第１の連通空間が外側空間と連通し、第１の連通空間に連通する第２のスペーサの貫通孔を通じて第２の連通空間が外側空間と連通する。
【００１４】
また、本発明の防塵フィルタでは、第１フレームの外側面は、この第１フレームの一方の面側に突出する広幅の第１係合片と、この第１フレームの他方の面側に突出する狭幅の第２係合片とが立ち起された係止部と、第１係合片の嵌合可能な間隙を備える第１嵌合部とを有し、第２フレームの外側面は、第２係合片の嵌合可能な間隙を備える第２嵌合部を１又は２個有している。
そして、第１フレームの第２係合片と第２フレームの第２嵌合部とが嵌合するように１又は２個の第１フレームと第２フレームとを重ね合わせて連通空間が構成され、第１フレームの第１係合片と、他の第１フレームの第１嵌合部とを嵌合させて連通空間同士、又は、連通空間と他方の空間（例えば外側空間）に面した多孔質膜が固定された第１フレームとが組み合わされる。
そのため、連通空間を構成するための第１フレーム及び第２フレームの組合せや、連通空間同士の組合せ、あるいは、連通空間と外側空間に面した多孔質膜が固定された第１フレームとの組合せを間違わずに行うことができる。
【００１５】
また、本発明の防水防塵秤は、上記した防塵フィルタを筐体の孔部に備えている。
この秤の筐体に設ける孔部の大きさは従来の筐体と同じであり、この孔部を塞ぐように取付ける防塵フィルタの取付面積も従来と変わりがない。しかし、防塵フィルタの多孔質膜の枚数は増えており、内外気圧差の調整能力が強化されている。
【発明の効果】
【００１６】
本発明の防塵フィルタは、筐体等への取付面積を増やすことなく、多孔質膜の面積を拡げることが可能であり、それにより内外気圧差の調整能力の向上を図ることができる。
また、本発明の防水防塵秤は、この防塵フィルタを備えているため、精確な計量を迅速に実施することができる。
【図面の簡単な説明】
【００１７】
【図１】本発明の実施形態に係る防塵フィルタの斜視図
【図２】図１の防塵フィルタの平面図（ａ）、側面図（ｂ）、裏面図（ｃ）
【図３】図１の防塵フィルタで使われている金属スペーサを示す図
【図４】図１の防塵フィルタにおける下部防塵フィルタ部の分解斜視図
【図５】図１の防塵フィルタにおける中間防塵フィルタ部の分解斜視図
【図６】図５の中間防塵フィルタ部を組み立てる際の各フレームの係合関係を説明する図
【図７】図１の防塵フィルタにおける上部防塵フィルタ部の分解斜視図
【図８】図１の防塵フィルタの分解斜視図
【図９】各フレームに設けられている係合部と嵌合部とを示す図
【図１０】上部防塵フィルタ部及び中間防塵フィルタ部を組み立てるときの係合部及び嵌合部の係合関係を示す図
【図１１】上部防塵フィルタ部、中間防塵フィルタ部及び下部防塵フィルタ部を結合するときの係合部及び嵌合部の係合関係を示す図
【図１２】図１の防塵フィルタを秤の筐体に取付けた状態を示す図
【図１３】図１の防塵フィルタを取付けた防水防塵秤の断面図
【図１４】従来の防水防塵秤を示す図
【図１５】防水防塵秤のダイヤフラム付近の構造を示す図
【発明を実施するための形態】
【００１８】
図１は、本発明の実施形態に係る防塵フィルタ１０の斜視図を示し、図２（ａ）は、この防塵フィルタの平面図、図２（ｂ）は側面図、図２（ｃ）は裏面図を示している。
この防塵フィルタ１０は、上部防塵フィルタ部４０と、中間防塵フィルタ部３０と、下部防塵フィルタ部２０との３層から成る。図２（ｂ）に示すように、上部防塵フィルタ部４０と中間防塵フィルタ部３０との間には円筒形状の金属スペーサ６２が配置され、中間防塵フィルタ部３０と下部防塵フィルタ部２０との間には同一形状の金属スペーサ６１が配置されている。
図３は、金属スペーサ６１、６２を示している。円筒状の金属スペーサ６１、６２は中心に貫通孔を備えている。金属スペーサ６１の両端面は、円環状の両面接着テープ６３で下部防塵フィルタ部２０と中間防塵フィルタ部３０とに固定され、金属スペーサ６２の両端面は、同様に、両面接着テープ６３で中間防塵フィルタ部３０と上部防塵フィルタ部４０とに固定される。
【００１９】
下部防塵フィルタ部２０は、図４に示すように、多孔質膜２２と、多孔質膜２２が固定される矩形状の枠部２１１及び金属スペーサ６１が固定されるスペーサ固定部２１２を有するフレーム２１（この明細書では枠部とスペーサ固定部とを有するフレームを「第１フレーム」と言う。）とから成る。
金属スペーサ６１及び多孔質膜２２は、第１フレーム２１の同じ面に固定される。
スペーサ固定部２１２は、枠部２１１の内側に延在しており、その中心部分に孔２１３を有している。金属スペーサ６１は、その中心の貫通孔が孔２１３と一致するように円環状の両面接着テープ６３でスペーサ固定部２１２に固定される。
多孔質膜２２の短辺側には、スペーサ固定部２１２に固定される金属スペーサ６１を避けるようにＵ字状の切込みが形成されており、この切込みの周縁は、金属スペーサ６１を避けてスペーサ固定部２１２の周縁部分に両面接着テープで固定される。多孔質膜２２のその他の辺縁は第１フレーム２１の枠部２１１に両面接着テープで固定される。
それにより第１フレーム２１の枠部２１１及びスペーサ固定部２１２で縁取られた開口は多孔質膜２２によって塞がれる。
【００２０】
また、枠部２１１の短辺の一方には、その外側面に、広幅の第１係合片７１と狭幅の第２係合片７２とが逆方向に立ち起された係止部７０と、第１係合片７１の幅に対応する間隙を空けて突出する突起対８１１及び８１２から成る第１嵌合部８１とが設けられている。係止部７０の第１係合片７１は、第１フレーム２１の多孔質膜２２固定面の側に突出し、第２係合片７２は、第１フレーム２１の反対面の側に突出している。
この第１フレーム２１は、両面接着テープ２３で筐体の孔部の周縁に、スペーサ固定部２１２の孔２１３が孔部に臨むように固定される。
下部防塵フィルタ部２０の多孔質膜２２は、筐体の外側空間に面して、外側空間と筐体の内側空間との間の気体の流入・流出を許容し、筐体の外側空間から内側空間への塵埃や水（水蒸気は除く）の流入を阻止する。
なお、スペーサ固定部２１２の孔２１３を通じて流入する外側空間の気体に含まれる塵埃は、後述する中間防塵フィルタ部３０及び上部防塵フィルタ部４０の多孔質膜により筐体内への流入が阻止される。
【００２１】
中間防塵フィルタ部３０は、図５に示すように、多孔質膜３０１が固定された第１フレーム３１と、枠部３２１のみを有し、スペーサ固定部を持たないフレーム３２（この明細書では枠部のみを有し、スペーサ固定部を持たないフレームを「第２フレーム」と言う。）と、多孔質膜３０２が固定された第１フレーム３３とから成る。
多孔質膜３０１、３０２は図４の多孔質膜２２と同じものであり、第１フレーム３１、３３は図４の第１フレーム２１と同じものである。一方の第１フレーム３１は、固定した多孔質膜３０１が下側に来るように配置され、他方の第１フレーム３３は、固定した多孔質膜３０２が上側に来るように配置されている。そのため、第１フレーム３１の係止部７０の狭幅の第２係合片７２は上側を向き、第１フレーム３３の係止部７０の第２係合片７２は下側を向く。
第２フレーム３２の短辺の一方には、その外側面に、第２係合片７２の幅に対応する間隙を空けて突出する突起対８２１及び８２２（８３１及び８３２）から成る第２嵌合部８２（８３）が二組設けられている。
【００２２】
図６に示すように、多孔質膜３０１が固定された第１フレーム３１は、第２係合片７２が第２フレーム３２の第２嵌合部８２に嵌合するように第２フレーム３２の下側に結合され、また、多孔質膜３０２が固定された第１フレーム３３は、第２係合片７２が第２フレーム３２の第２嵌合部８３に嵌合するように第２フレーム３２の上側に結合される。第１フレーム３１、３２は、それぞれ両面接着テープで第２フレーム３２に固定される。
それにより、中間防塵フィルタ部３０には、多孔質膜３０１と多孔質膜３０２との間に、第１フレーム３１、第２フレーム３２及び第１フレーム３３の枠部で囲まれた空間が形成される。
【００２３】
第１フレーム３１のスペーサ固定部３１２の下側には、下部防塵フィルタ部２０の第１フレーム２１のスペーサ固定部２１２に結合された金属スペーサ６１の上端が固定されるため、中間防塵フィルタ部３０に形成される空間は、下部防塵フィルタ部２０の第１フレーム２１のスペーサ固定部２１２に形成された孔２１３、金属スペーサ６１の貫通孔、及び、中間防塵フィルタ部３０の第１フレーム３１のスペーサ固定部３１２に形成された孔３１３を通じて外側空間と直接連通する。（この明細書では外側空間に連通する空間を「連通空間」と言う。）
中間防塵フィルタ部３０の多孔質膜３０１、３０２は、中間防塵フィルタ部３０の連通空間と筐体の内側空間との間の気体の流入・流出を許容し、中間防塵フィルタ部３０の連通空間から筐体の内側空間への塵埃や水（水蒸気は除く）の流入を阻止する。
【００２４】
上部防塵フィルタ部４０は、図７に示すように、多孔質膜４０１が固定された第１フレーム４１と、多孔質膜４０２が固定される第２フレーム４２とから成る。
多孔質膜４０１は図４の多孔質膜２２と同じものであり、第１フレーム４１は図４の第１フレーム２１と同じものである。また、第２フレーム４２は、図５の第２フレーム３２と同じものである。第２フレーム４２に固定される多孔質膜４０２の外形は、多孔質膜４０１と違って矩形状である。多孔質膜４０２の第２フレーム４２への固定は、両面接着テープで行われる。
多孔質膜４０１が固定された第１フレーム４１は、その第２係合片７２が、多孔質膜４０２を固定した第２フレーム４２の第２嵌合部８４に嵌合するように第２フレーム４２の下側に接続され、両面接着テープで固定される。
それにより、上部防塵フィルタ部４０には、多孔質膜４０１と多孔質膜４０２との間に、第１フレーム４１及び第２フレーム４２の枠部で囲まれた空間が形成される。
【００２５】
第１フレーム４１のスペーサ固定部４１２の下側には、中間防塵フィルタ部３０の上側にある第１フレーム３３のスペーサ固定部３３２に結合された金属スペーサ６２の上端が固定されるため、上部防塵フィルタ部４０に形成される空間は、下部防塵フィルタ部２０の第１フレーム２１のスペーサ固定部２１２に形成された孔２１３、金属スペーサ６１の貫通孔、中間防塵フィルタ部３０の第１フレーム３１のスペーサ固定部３１２に形成された孔３１３、中間防塵フィルタ部３０の連通空間、中間防塵フィルタ部３０の第１フレーム３３のスペーサ固定部３３２に形成された孔３３３、金属スペーサ６２の貫通孔、及び、上部防塵フィルタ部４０の第１フレーム４１のスペーサ固定部４１２に形成された孔４１３を通じて外側空間と直接連通する連通空間となる。
上部防塵フィルタ部４０の多孔質膜４０１、４０２は、上部防塵フィルタ部４０の連通空間と筐体の内側空間との間の気体の流入・流出を許容し、上部防塵フィルタ部４０の連通空間から筐体の内側空間への塵埃や水（水蒸気は除く）の流入を阻止する。
なお、下部防塵フィルタ部２０の第１フレーム２１のスペーサ固定部２１２に形成された孔２１３は、中間防塵フィルタ部３０の連通空間、及び、上部防塵フィルタ部４０の連通空間を外側空間に連通させるための開口の役割を担っている。
【００２６】
図８は、下部防塵フィルタ部２０と中間防塵フィルタ部３０との間に金属スペーサ６１を介し、中間防塵フィルタ部３０と上部防塵フィルタ部４０との間に金属スペーサ６２を介して、下部防塵フィルタ部２０、中間防塵フィルタ部３０及び上部防塵フィルタ部４０を組合わせるときの様子を示している。このとき、下部防塵フィルタ部２０と中間防塵フィルタ部３０との間では、下部防塵フィルタ部２０の側面から突出する係止部７０の広幅の第１係合片７１が中間防塵フィルタ部３０の第１嵌合部８１に嵌合し、中間防塵フィルタ部３０の第１係合片７１が下部防塵フィルタ部２０の第１嵌合部８１に嵌合するように組合せ、また、中間防塵フィルタ部３０と上部防塵フィルタ部４０との間では、中間防塵フィルタ部３０の第１係合片７１が上部防塵フィルタ部４０の第１嵌合部８１に嵌合し、上部防塵フィルタ部４０の第１係合片７１が中間防塵フィルタ部３０の第１嵌合部８１に嵌合するように組合せる。
【００２７】
図９、図１０、図１１は、フレームに設けられた係合部７０の第１係合片７１及び第２係合片７２が他のフレームに設けられた第１嵌合部８１及び第２嵌合部８２に嵌合されて防塵フィルタが組み立てられる過程を模式的に示している。
図９は、第１フレーム２１、３１、３３、４１の各々に設けられた係合部７０及び第１嵌合部８１と、第２フレーム３２、４２の各々に設けられた第２嵌合部８２、８３とを示している。
図１０は、第１フレーム３１、３３の第２係合片７２が第２フレーム３２の第２嵌合部８２、８３に嵌合されて中間防塵フィルタ部３０が組み立てられ、第１フレーム４１の第２係合片７２が第２フレーム４２の第２嵌合部８２に嵌合されて上部防塵フィルタ部４０が組み立てられた状態を示している。
【００２８】
図１１は、下部防塵フィルタ部２０の第１係合片７１が中間防塵フィルタ部３０の第１嵌合部８１に嵌合され、中間防塵フィルタ部３０の下側の第１係合片７１が下部防塵フィルタ部２０の第１嵌合部８１に嵌合され、中間防塵フィルタ部３０上側の第１係合片７１が上部防塵フィルタ部４０の第１嵌合部８１に嵌合され、上部防塵フィルタ部４０の第１係合片７１が中間防塵フィルタ部３０の上側の第１嵌合部８１に嵌合されて、下部防塵フィルタ部２０と中間防塵フィルタ部３０と上部防塵フィルタ部４０とが組み立てられた状態を示している。
【００２９】
このように、この防塵フィルタは、第１フレーム及び第２フレームの二種類のフレームを用いて構成することができる。また、これらのフレームの短辺の一方からは係合部７０や嵌合部８１、８２、８３が突出しており、係合部７０の第１係合片７１及び第２係合片７２と第１嵌合部８１及び第２嵌合部８２とを組合わせることにより、多層に配置する複数のフレームを間違わずに組み立てることができる。
また、係合部７０や嵌合部８１、８２、８３がフレームの一方の側にのみ突出しているため、組立て作業時にフレームの向きを間違える虞がない。
【００３０】
図１２は、この防塵フィルタ１０を防水防塵秤に組み付けた状態を示し、図１３は、その防水防塵秤の断面図を示している。
防塵フィルタの筐体への取付面積は、図１４に示す従来のものと変わりがないが、複数の多孔質膜を平行に配置しているため、内外気圧差調整に寄与する多孔質膜の面積は、多孔質膜の枚数分だけ増えている。そのため、従来に比べて、精確な計量を迅速に実施することができる。
なお、ここでは、上部防塵フィルタ部４０と下部防塵フィルタ部２０との間に一段の中間防塵フィルタ部３０を設けているが、中間防塵フィルタ部の段数は、２以上でも良く、また、無くても良い。
また、本明細書で言う防水防塵秤には、防水秤や防塵秤も含まれる。
また、ここでは、防塵フィルタ１０を、筐体の孔部を塞ぐように筐体の内部空間側に設ける場合について説明したが、防塵フィルタ１０は、筐体の孔部を塞ぐように筐体の外部空間側に設けても良い。
【産業上の利用可能性】
【００３１】
本発明の防塵フィルタは、筐体等への取付面積を増やすことなく、多孔質膜の面積を拡げて内外気圧差調整機能を高めることが可能であり、防水防塵秤を始めとして、ケース内の内圧変動を嫌う自動車部品、携帯電話、ＯＡ機器、家電製品等に広く利用することができる。
【符号の説明】
【００３２】
１０    防塵フィルタ
２０    下部防塵フィルタ部
２１    第１フレーム
２２    多孔質膜
２３    両面接着テープ
３０    中間防塵フィルタ部
３１    第１フレーム
３２    第２フレーム
３３    第１フレーム
４０    上部防塵フィルタ部
４１    第１フレーム
４２    第２フレーム
５０    秤量皿
５１    貫通孔
５２    部屋
５４    多孔質膜
５５    不織布フィルタ
５６    荷重受け部
５７    ダイヤフラム
６１    金属スペーサ
６２    金属スペーサ
６３    両面接着テープ
７０    係止部
７１    第１係合片
７２    第２係合片
８１    第１嵌合部
８２    第２嵌合部
８３    第２嵌合部
８４    第２嵌合部
１２１  上部筐体
１２４  下部筐体
１２５  傾斜面
２１１  枠部
２１２  スペーサ固定部
２１３  孔
３０１  多孔質膜
３０２  多孔質膜
３１２  スペーサ固定部
３１３  孔
３２１  枠部
３３２  スペーサ固定部
３３３  孔
４０１  多孔質膜
４０２  多孔質膜
４１２  スペーサ固定部
８１１，８１２  突起対
８２１，８２２  突起対
８３１，８３２  突起対
【図１】
2017127849.tif 000003
【図２】
2017127849.tif 000004
【図３】
2017127849.tif 000005
【図４】
2017127849.tif 000006
【図５】
2017127849.tif 000007
【図６】
2017127849.tif 000008
【図７】
2017127849.tif 000009
【図８】
2017127849.tif 000010
【図９】
2017127849.tif 000011
【図１０】
2017127849.tif 000012
【図１１】
2017127849.tif 000013
【図１２】
2017127849.tif 000014
【図１３】
2017127849.tif 000015
【図１４】
2017127849.tif 000016
【図１５】
2017127849.tif 000017